(57)【要約】【課題】鉄スクラップを安価に輸送できる船積み方法を提供する。【解決手段】上面が開口した直方体形状のコンテナ本体１０と、コンテナ本体１０の上面開口１１を覆う着脱可能な蓋体２０とを備え、コンテナ本体１０の側面（１２、１５）及び底面１７が平板状の鋼板により形成されたコンテナ１を準備し、鉄スクラップの出荷元までコンテナ１をトラックにて輸送し、鉄スクラップをコンテナ本体１０の上面開口１１から積み込んだ後、コンテナ１をコンテナ船までトラックにて輸送し、コンテナ１をコンテナ船に積み込む船積み方法。【選択図】図２
2019014604.tif 000002
【特許請求の範囲】
【請求項１】
上面が開口した直方体形状のコンテナ本体と、前記コンテナ本体の上面開口を覆う着脱可能な蓋体とを備え、前記コンテナ本体の側面及び底面が平板状の鋼板により形成されたコンテナを準備し、
鉄スクラップの出荷元まで前記コンテナをトラックにて輸送し、前記鉄スクラップを前記コンテナ本体の上面開口から積み込んだ後、該コンテナをコンテナ船までトラックにて輸送し、該コンテナを前記コンテナ船に積み込むことを特徴とする船積み方法。
【請求項２】
第一の出荷元まで前記コンテナをトラックにて輸送し、第一の出荷元の鉄スクラップを前記コンテナ本体の上面開口から積み込み、
次に該コンテナを第二の出荷元までトラックにて輸送し、第二の出荷元の鉄スクラップを前記コンテナ本体の上面開口から積み込んだ後、該コンテナをコンテナ船までトラックにて輸送し、該コンテナを前記コンテナ船に積み込む
請求項１に記載の船積み方法。
【請求項３】
前記コンテナの寸法は、奥行５，５００〜６，５００ｍｍ、幅２，０００〜３，０００ｍｍ、高さ１，４００〜２，７００ｍｍである
請求項１または２に記載の船積み方法。
【請求項４】
前記トラックに前記コンテナを１台積載する
請求項１〜３のいずれか一項に記載の船積み方法。
【請求項５】
請求項１〜４のいずれか一項に記載の船積み方法で前記コンテナを前記コンテナ船に積み込んだ後、該コンテナ船で目的港まで貨物を輸送することを特徴とする海上輸送方法。
【発明の詳細な説明】
【技術分野】
【０００１】
本発明は、船積み方法及び海上輸送方法に関し、詳しくは鉄スクラップを特殊なコンテナを用いてコンテナ船に船積みする方法及び前記コンテナ船で目的港まで鉄スクラップを輸送する海上輸送方法に関する。
【背景技術】
【０００２】
従来、コンテナ船で鉄スクラップを輸送する場合、鉄スクラップの出荷元がトラックで鉄スクラップを倉庫まで輸送し一旦荷受けした後、輸出通関等の手続きを経てから、コンテナに鉄スクラップを詰め込み、トラックでコンテナをコンテナ船まで輸送していた。出荷元がＡ，Ｂ，Ｃの３箇所ある場合、各出荷元（Ａ，Ｂ，Ｃ）が独自に倉庫までトラックで鉄スクラップを輸送していた。倉庫はコンテナ船が停泊している港（岸壁）の近くにある場合が多いため、出荷元から倉庫までの輸送距離が長く、輸送コストが高くなる。また、倉庫の保管費用も必要である。
【０００３】
さらに、少量ロットで鉄スクラップを輸送すると輸送単価が高くなるため、ある程度大量ロットになるまで、出荷元が鉄スクラップの出荷を見合わせる場合がある。その間に、鉄スクラップの相場が変動し急落すると、出荷元が意図した相場で鉄スクラップを出荷することができない場合も多く、相場急落の損害を被ることも多かった。
【０００４】
そこで、鉄スクラップの出荷元までコンテナを輸送し、出荷元で鉄スクラップをコンテナに積み込み方法が考えられるが、以下のような問題がある。すなわち、従来は、コンテナの横の扉を開けて、コンテナの奥まで鉄スクラップを無理やり押し込むか、もしくはクレーン等でコンテナを吊り上げて、横の扉が上を向くようにコンテナを立て掛けた状態にして、横の扉を開けて上から鉄スクラップを上から押し込んでいた。しかしながら、鉄スクラップは鋭利に尖っているため、コンテナが貫通して穴が開き、コンテナが損傷するため、耐久性の面で実用化されていない。
【０００５】
また、鉄スクラップの切削くずにはオイル等が含まれているため、コンテナが油汚れするという問題もある。また、コンテナの底面はウッドパネルの場合がほとんどで、オイルがウッドパネルに浸漬し油汚れが酷くなる。通常コンテナはレンタルの場合が多く、鉄スクラップの輸送には不向きであった。
【０００６】
ところで、上から荷物を積み込むことができるコンテナとして、例えば、特許文献１や特許文献２に記載のコンテナが提案されている。
【０００７】
特許文献１は、「荷物を載置する底面板（１０）と、前記底面板（１０）の左右両端部にそれぞれ立設される柱部（２０）と、前記柱部（２０）によって着脱自在に支持される天板（３０）と、を備え、隣り合う前記柱部（２０）の間に隙間が形成されており、前記隙間から、内部に積載した荷物（Ｃ）を視認することができるとともに、前記荷物（Ｃ）の積み込み作業を行うことができるようにしたコンテナ。」である。
【０００８】
また、特許文献２は、「廃棄物の輸送、保管に使用する廃棄物用コンテナにおいて、上面のほぼ全域が開口し、内部に廃棄物を収容する容器部と、前記収容部の上面開口を開閉するための蓋部とを備え、前記蓋部により前記容器部内部を密閉するために前記容器部と蓋部とを締結する締結手段を有することを特徴する廃棄物用コンテナ。」である。
【０００９】
しかしながら、特許文献１に記載のコンテナは、木材等の長尺物の荷物の運搬を目的とするものであり、鉄スクラップを運搬することはできない。すなわち、特許文献１に記載のコンテナは、内部に積載した荷物を外部から視認するため、柱部の間に隙間が形成されており、その隙間から鋭利に尖った鉄スクラップが落下する。
【００１０】
また、特許文献２に記載の廃棄物用コンテナは、有害物質を含んだ廃棄物を輸送、保管するものであるため、高い気密性が必要である。そのため、容器部の底面と側面の接合部および側面同士の接合部は、内側から溶接されて気密構造になっている。また、容器部内部を密閉するための締結手段や、気密性を確保するために蓋部下面の周縁全周にシールパッキンを設ける必要がある。さらに、廃棄物用コンテナ内に発生する隙間を、吸着シートと吸着材とにより埋めて、コンテナ内での廃棄物の上下振動や横転・横揺れが発生しないようにしている。このように、特許文献２に記載の廃棄物用コンテナは、周辺環境を汚染したり、人体へ悪影響を与えるおそれがある有害物質を含む廃棄物を輸送あるいは保管するものであり、鉄スクラップの輸送には不向きである。
【先行技術文献】
【特許文献】
【００１１】
【特許文献１】特許５９６５０２９号公報
【特許文献２】特開２００３−３１２７７４号公報
【発明の概要】
【発明が解決しようとする課題】
【００１２】
本発明は、上記の課題に鑑み、鉄スクラップを安価に輸送できる船積み方法及び海上輸送方法を提供することにある。
【課題を解決するための手段】
【００１３】
本発明の一態様に係る船積み方法は、上面が開口した直方体形状のコンテナ本体と、前記コンテナ本体の上面開口を覆う着脱可能な蓋体とを備え、前記コンテナ本体の側面及び底面が平板状の鋼板により形成されたコンテナを準備し、鉄スクラップの出荷元まで前記コンテナをトラックにて輸送し、前記鉄スクラップを前記コンテナ本体の上面開口から積み込んだ後、該コンテナをコンテナ船までトラックにて輸送し、該コンテナを前記コンテナ船に積み込むことを特徴とする。
【００１４】
また、本発明の別の態様に係る海上輸送方法は、前記船積み方法で前記コンテナを前記コンテナ船に積み込んだ後、該コンテナ船で目的港まで貨物を輸送することを特徴とする。
【発明の効果】
【００１５】
本発明の一態様に係る船積み方法及び海上輸送方法によれば、鉄スクラップを安価に輸送することができる。
【図面の簡単な説明】
【００１６】
【図１】本発明の一態様に係る船積み方法に使用するコンテナの斜視図である。
【図２】本発明の一態様に係る船積み方法に使用するコンテナの蓋体を取り外した状態を示す斜視図である。
【発明を実施するための形態】
【００１７】
＜概要＞
本発明の一態様に係る船積み方法は、上面が開口した直方体形状のコンテナ本体と、前記コンテナ本体の上面開口を覆う着脱可能な蓋体とを備え、前記コンテナ本体の側面及び底面が平板状の鋼板により形成されたコンテナを準備し、鉄スクラップの出荷元まで前記コンテナをトラックにて輸送し、前記鉄スクラップを前記コンテナ本体の上面開口から積み込んだ後、該コンテナをコンテナ船までトラックにて輸送し、該コンテナを前記コンテナ船に積み込むことを特徴とする。
【００１８】
本実施形態に係る船積み方法では、出荷元までコンテナをトラックで輸送し、コンテナに鉄スクラップを直接積み込むため、出荷元がトラックで鉄スクラップを輸送する必要がない。また、鉄スクラップを保管する倉庫が必要ないため、倉庫の保管費用も不要となる。さらに、出荷する鉄スクラップが少量の場合でも、出荷元が意図した相場でスクラップを出荷することができる。
【００１９】
また、本実施形態に係る使用するコンテナは、コンテナ本体から蓋体を取り外すことができるため、コンテナ本体の上面開口から鉄スクラップを直接積み込むことができる。コンテナ本体の側面及び底面は、平板状の鋼板により補強されているため、鉄スクラップによるコンテナ本体の損傷を防ぐことができる。
【００２０】
別態様に係る船積み方法において、第一の出荷元まで前記コンテナをトラックにて輸送し、第一の出荷元の鉄スクラップを前記コンテナ本体の上面開口から積み込み、次に該コンテナを第二の出荷元までトラックにて輸送し、第二の出荷元の鉄スクラップを前記コンテナ本体の上面開口から積み込んだ後、該コンテナをコンテナ船までトラックにて輸送し、該コンテナを前記コンテナ船に積み込む。このように出荷元が複数ある場合には、鉄スクラップをより安価に輸送することができる。
【００２１】
別態様に係る船積み方法において、前記コンテナの寸法は、奥行５，５００〜６，５００ｍｍ、幅２，０００〜３，０００ｍｍ、高さ１，４００〜２，７００ｍｍである。また、別態様に係る船積み方法において、前記トラックに前記コンテナを１台積載する。トラックの荷台と略同じ寸法のコンテナを使用することにより、複数台のコンテナを用意する必要もなく、１台のコンテナに多数の鉄スクラップを積み込むことができ、鉄スクラップをより安価に輸送することができる。
【００２２】
また、本発明の別の態様に係る海上輸送方法は、前記船積み方法で前記コンテナを前記コンテナ船に積み込んだ後、該コンテナ船で目的港まで貨物を輸送することを特徴とする。これにより、鉄スクラップを安価に海上輸送することができる。
【００２３】
＜実施形態＞
以下に実施形態について、図面を参照しながら詳細に説明する。
【００２４】
まず、本発明の一態様に係る船積み方法について、鉄スクラップを積み込むコンテナについて具体的に説明する。図１は、本発明の一態様に係る船積み方法に使用するコンテナの斜視図である。図２は、本発明の一態様に係る船積み方法に使用するコンテナの蓋体を取り外した状態を示す斜視図である。
【００２５】
まず、本発明の一態様に係る船積み方法に使用するコンテナについて説明する。
【００２６】
１．コンテナ
コンテナ１は、コンテナ本体１０と、蓋体２０とを備える。
【００２７】
１−１．コンテナ本体
コンテナ本体１０は、上面が開口した直方体形状であり、上面開口１１を覆う蓋体２０が着脱可能な状態で取り付けられる。
【００２８】
コンテナ本体１０の側面（長手方向側面１５、短手方向側面１２）及び底面１７は、鉄スクラップによるコンテナ１０本体の損傷を防ぐため、平板状の鋼板により形成されている。
【００２９】
鋼板の材質としては、例えば、鉄、ステンレス等があげられるが、鉄が好ましい。
【００３０】
底面１７は、側面（１２、１５）よりも厚い方が好ましい。本実施形態においては、底面１７の厚みは５．５〜６．５ｍｍが好ましく、特に好ましくは６ｍｍである。
【００３１】
側面（１２、１５）の厚みは３．５〜４．５ｍｍが好ましく、特に好ましくは４ｍｍである。
【００３２】
コンテナ本体１０の側面（長手方向側面１５、短手方向側面１２）及び底面１７は、平板状であり、コルゲート板のような凹凸がないため、鉄スクラップの搬出作業時等に邪魔にならず、スムーズに鉄スクラップの搬出作業等を行うことができる。
【００３３】
また、鉄スクラップにはオイル等の切削くずが含まれるが、コンテナ１０本体は平板状の鋼板により形成されているため、オイルが浸漬する等の問題がない。
【００３４】
コンテナ本体１０上部の４隅及び長手方向中央部には、蓋体２０のずれを防止する金具２５が取り付けられている。
【００３５】
コンテナ本体１０上部の４隅には、中央部が凹んだ台座１４が設けられており、コンテナ１上に別のコンテナを安定した状態で載置することができる。
【００３６】
コンテナ本体１０の長手方向側面１５の中央部には、はしご１６が取り付けられている。
【００３７】
１−２．蓋体
蓋体２０は、板状部材であり、コンテナ本体１０の上面に着脱可能な状態で取り付けられる。
【００３８】
蓋体２０の材質としては、例えば鉄、ステンレス等があげられるが、鉄が好ましい。
【００３９】
蓋体２０の厚みは、１．５〜２．５ｍｍが好ましく、特に好ましくは２ｍｍである。
【００４０】
蓋体２０の表面（図面上側）には、略コの字状の引掛部２２が短手方向に沿って３個ずつ、４箇所（合計１２個）設置されている。引掛部２２の両端は、蓋体２０の表面（図面上側）に軸支されている。
【００４１】
なお、蓋体２０の裏面は、コルゲート板等の補強部材で補強されている方が好ましいが、補強部材は省略しても差し支えない。
【００４２】
１−４．扉
コンテナ本体１０の短手方向側面１２の一方には、両開き（観音開き）の扉１３が設けられている。
【００４３】
扉１３も平板状の鋼板により形成されている。
【００４４】
鋼板の材質としては、側面（１２、１５）と同様の材質が使用され、例えば、鉄、ステンレス等があげられるが、鉄が好ましい。
【００４５】
扉１３の厚みは３．５〜４．５ｍｍが好ましく、特に好ましくは４ｍｍである。
【００４６】
扉１３は、２枚の戸が、それぞれ左右の端部を軸に、中央から左右に回転して開閉する両開き（観音開き）になっている。扉１３を開閉すると、鉄スクラップの搬出を行うことができるので、蓋体２０を取り外す必要がない。
【００４７】
なお、扉１３は両開き（観音開き）に限定されず、片開きであってもよい。
【００４８】
１−４．コンテナ本体と蓋体との着脱
コンテナ本体１０と蓋体２０との着脱は、コンテナ本体１０の長手方向側面１５に設けた操作部３０により行うことができる。
【００４９】
操作部３０は、コンテナ本体１０の長手方向側面１５の中央部、左右に各１箇所、合計３か所設けられ、またコンテナ本体１０の奥側の長手方向側面にも、同様に３か所の操作部（図示せず）が設けられ、合計６か所設けられている。
【００５０】
操作部３０は、操作レバー３１と、細長い係止バー３２とからなる。
【００５１】
操作レバー３１を閉じると、係止バー３２が下側に移動し、Ｌ字型の先端部３３が蓋体２０の長手方向縁部を締め付け、蓋体２０がコンテナ本体１０に固定される。
【００５２】
一方、操作レバー３１を開くと、係止バー３２が上側に移動し、Ｌ字型の先端部３３が蓋体２０から解放され、蓋体２０をコンテナ本体１０から取り外すことができる。
【００５３】
フォークリフトの２本のフォーク（ツメ）を、蓋体２０の短手方向に３個並んだ引掛部２２の下側から引掛け、フォークリフトのフォーク（ツメ）を上下させることにより、蓋体２０をコンテナ本体１０から着脱することができる。
【００５４】
つぎに、本発明の一態様に係る船積み方法及び海上輸送方法について説明する。
出荷元が３箇所（Ａ，Ｂ，Ｃ）ある場合の鉄スクラップの集荷（回収）方法について、（１）と（２）の場合に分けて具体的に説明する。
【００５５】
（１）出荷元Ａ、出荷元Ｂ、出荷元Ｃの順に、連続して鉄スクラップを集荷（回収）する場合
【００５６】
（１−１）．出荷元Ａ
空のコンテナ１をトラックの荷台に1台積載し、出荷元Ａまで輸送する。コンテナ本体１０から蓋体２０を取り外し、コンテナ本体１０の上面開口１１から鉄スクラップを積み込む。鉄スクラップを積み込んだ後は、コンテナ本体１０に蓋体２０を取付ける。
【００５７】
（１−２）．出荷元Ｂ
出荷元Ａの鉄スクラップを積み込んだコンテナ１を、出荷元Ｂまでトラックで輸送する。コンテナ本体１０から蓋体２０を取り外し、出荷元Ｂの鉄スクラップをコンテナ本体１０の上面開口１１から積み込む。鉄スクラップを積み込んだ後は、コンテナ本体１０に蓋体２０を取付ける。
【００５８】
（１−３）．出荷元Ｃ
出荷元Ａ及び出荷元Ｂの鉄スクラップを積み込んだコンテナ１を、出荷元Ｃまでトラックで輸送する。コンテナ本体１０から蓋体２０を取り外し、出荷元Ｃの鉄スクラップを、コンテナ本体１０の上面開口１１から積み込む。鉄スクラップを積み込んだ後は、コンテナ本体１０に蓋体２０を取付ける。
【００５９】
（１−４）．通関
出荷元Ａ、出荷元Ｂ及び出荷元Ｃの鉄スクラップを積み込んだコンテナ１を、コンテナ船が停泊している港までコンテナ１をトラックで輸送し、輸出通関等の手続きを受ける。
【００６０】
（１−５）．船積み
輸出通関等の手続きを受けたコンテナ１をクレーン等で、コンテナ船に船積みする。
【００６１】
ここで、コンテナ船とは、コンテナを輸送する貨物船をいう。
【００６２】
（１−６）．海上輸送
コンテナ１をコンテナ船に積み込んだ後、コンテナ船で目的港（目的地）まで鉄スクラップを海上輸送する。
【００６３】
（１）の方法は、出荷元Ａ、出荷元Ｂ、出荷元Ｃが比較的近くにある場合には、好ましい集荷（回収）方法である。
【００６４】
出荷元が複数（例えば、Ａ，Ｂ，Ｃの３箇所）ある場合、本実施形態に係る船積み方法では、各出荷元（Ａ，Ｂ，Ｃ）までコンテナをトラックで輸送し、コンテナに鉄スクラップを直接積み込むため、各出荷元（Ａ，Ｂ，Ｃ）がトラックで鉄スクラップを輸送する必要がない。また、鉄スクラップを保管する倉庫も必要ないため、倉庫の保管費用が不要となる。さらに、出荷する鉄スクラップが少量の場合でも、出荷元が意図した相場でスクラップを出荷できる。
【００６５】
従来、鉄スクラップを海上輸送する場合、コンテナを使用せずにバラ貨物ごと在来船に積み込んで輸送する場合は、輸送コストの観点から、大量ロットでの輸送に限られるため、在来船も大型の貨物船に限られていた。また、大型の貨物船が入港できる港は大都市近郊の港に限られており、地方の小さな港に入港することができない。そのため、遠方の港まで、トラックで陸上輸送が必要な場合もあり、輸送距離が長くなる場合も多く、輸送費が高くなっていた。本実施形態に係る船積み及び海上輸送方法では、コンテナ船で輸送できるため、地方の小さな港からの海上輸送も可能となり、全国各地の鉄スクラップを集荷して船積みすることができる。
【００６６】
（２）出荷元Ａ、出荷元Ｂ及び出荷元Ｃの鉄スクラップを、それぞれ独自に集荷（回収）する場合
【００６７】
（２−１）．出荷元Ａ
コンテナ１をトラックに積載し、出荷元Ａまで輸送する。コンテナ本体１０から蓋体２０を取り外し、コンテナ本体１０の上面開口１１からコンテナ１に鉄スクラップを積み込む。鉄スクラップを積み込んだ後は、コンテナ本体１０に蓋体２０を取付ける。出荷元Ａの鉄スクラップを積み込み終わったら、コンテナ船が停泊している港までコンテナ１をトラックで輸送する。
【００６８】
（２−２）．出荷元Ｂ
コンテナ１をトラックに積載し、出荷元Ｂまで輸送する。コンテナ本体１０から蓋体２０を取り外し、コンテナ本体１０の上面開口１１からコンテナ１に鉄スクラップを積み込む。鉄スクラップを積み込んだ後は、コンテナ本体１０に蓋体２０を取付ける。出荷元Ｂの鉄スクラップを積み込み終わったら、コンテナ船が停泊している港までコンテナ１をトラックで輸送する。
【００６９】
（２−３）．出荷元Ｃ
コンテナ１をトラックに積載し、出荷元Ｃまで輸送する。コンテナ本体１０から蓋体２０を取り外し、コンテナ本体１０の上面開口１１からコンテナ１に鉄スクラップを積み込む。鉄スクラップを積み込んだ後は、コンテナ本体１０に蓋体２０を取付ける。出荷元Ｃの鉄スクラップを積み込み終わったら、コンテナ船が停泊している港までコンテナ１をトラックで輸送する。
【００７０】
（２−４）．通関
出荷元Ａ、出荷元Ｂ及び出荷元Ｃが独自に鉄スクラップを積み込んだコンテナ１を、コンテナ船が停泊している港までコンテナ１をトラックで輸送し、独自に輸出通関等の手続きを受ける。
【００７１】
（２−５）．船積み
出荷元Ａ、出荷元Ｂ及び出荷元Ｃが独自に輸出通関等の手続きを受けたコンテナ１をクレーン等で、コンテナ船に船積みする。
【００７２】
（２−６）．海上輸送
出荷元Ａ、出荷元Ｂ及び出荷元Ｃが独自にコンテナ１をコンテナ船に積み込んだ後、コンテナ船で目的港（目的地）まで鉄スクラップを海上輸送する。
【００７３】
（２）の方法は、出荷元Ａ、出荷元Ｂ、出荷元Ｃが離れている場合には、好ましい集荷（回収）方法である。
【００７４】
＜変形例＞
以上、一実施形態に係る船積み方法及び海上輸送方法を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００７５】
１．コンテナ
コンテナの寸法は特に限定はないが、奥行５，５００〜６，５００ｍｍ、幅２，０００〜３，０００ｍｍ、高さ１，４００〜２，７００ｍｍが好ましく、特に好ましくは、奥行６０５８ｍｍ、幅２４３８ｍｍ、高さ２５９１ｍｍ、もしくは奥行６０５８ｍｍ、幅２４３８ｍｍ、高さ１４３４ｍｍである。
【００７６】
２．コンテナの積載
トラック1台につきコンテナ1台を積載することが好ましいが、コンテナを２台積載しても差し支えない。
【００７７】
３．操作部
コンテナ本体１０と蓋体２０との着脱は、操作部３０に限定されるものではない。
【００７８】
４．鉄スクラップ
鉄スクラップに代えて、バラ貨物を輸送してもよい。
【００７９】
５．トラック
トラックに代えてトレーラ等の陸上輸送車両を使用してもよい。
【符号の説明】
【００８０】
１  コンテナ
１０  コンテナ本体
２０  蓋体
【図１】
2019014604.tif 000003
【図２】
2019014604.tif 000004
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
上面が開口した直方体形状のコンテナ本体と、前記コンテナ本体の上面開口を覆う着脱可能な蓋体とを備え、前記コンテナ本体の側面及び底面が平板状の鋼板により形成され、前記コンテナの寸法が奥行５，５００〜６，５００ｍｍ、幅２，０００〜３，０００ｍｍ、高さ１，４００〜２，７００ｍｍであり、前記側面の厚みが３．５〜４．５ｍｍ、前記底面の厚みが５．５〜６．５ｍｍであるコンテナを準備し、
複数の出荷元の鉄スクラップを前記コンテナに積み込んで、該コンテナを目的港まで輸送する海上輸送方法であって、
第一の出荷元まで前記コンテナをトラックにて輸送し、第一の出荷元の鉄スクラップを前記コンテナ本体の上面開口から積み込み、
次に該コンテナを第二の出荷元までトラックにて輸送し、第二の出荷元の鉄スクラップを前記コンテナ本体の上面開口から積み込んだ後、
該コンテナをコンテナ船までトラックにて輸送し、該コンテナを前記コンテナ船に積み込み込んだ後、該コンテナ船で目的港まで輸送することを特徴とする海上輸送方法。
【請求項２】
前記トラックに前記コンテナを１台積載する
請求項１に記載の海上輸送方法。
【手続補正３】
【補正対象書類名】明細書
【補正対象項目名】００１３
【補正方法】変更
【補正の内容】
【００１３】
本発明の一態様に係る海上輸送方法は、上面が開口した直方体形状のコンテナ本体と、前記コンテナ本体の上面開口を覆う着脱可能な蓋体とを備え、前記コンテナ本体の側面及び底面が平板状の鋼板により形成され、前記コンテナの寸法が奥行５，５００〜６，５００ｍｍ、幅２，０００〜３，０００ｍｍ、高さ１，４００〜２，７００ｍｍであり、前記側面の厚みが３．５〜４．５ｍｍ、前記底面の厚みが５．５〜６．５ｍｍであるコンテナを準備し、複数の出荷元の鉄スクラップを前記コンテナに積み込んで、該コンテナを目的港まで輸送する海上輸送方法であって、第一の出荷元まで前記コンテナをトラックにて輸送し、第一の出荷元の鉄スクラップを前記コンテナ本体の上面開口から積み込み、次に該コンテナを第二の出荷元までトラックにて輸送し、第二の出荷元の鉄スクラップを前記コンテナ本体の上面開口から積み込んだ後、該コンテナをコンテナ船までトラックにて輸送し、該コンテナを前記コンテナ船に積み込み込んだ後、該コンテナ船で目的港まで輸送することを特徴とする。
【手続補正４】
【補正対象書類名】明細書
【補正対象項目名】００１４
【補正方法】削除
【補正の内容】